(57)【要約】【課題】蓋部が電子機器の筐体に形成された開口に嵌り込む際のカードトレイの操作荷重を低減するとともにシール部材の封止機能の低下を防止することができるカードコネクタを提供する。【解決手段】カードコネクタ１は、カードＣ１が載置されるカードトレイ１０と、カードトレイ１０が挿入及び引き出されるハウジング２１及びハウジング２１に取り付けられたコンタクト２２を有するコネクタ本体２０とを備える。カードトレイ１０は、カードＣ１が載置されるカード載置部１１と、カードトレイ１０のトレイ挿入方向の後方側端部に設けられた、電子機器の筐体１００に形成された開口１０１を閉塞する蓋部１２ａと、カード載置部１１及び蓋部１２ａの間に位置するシール部材載置部１２ｂとを備え、シール部材載置部１２ｂの外周に環状のシール部材１３を備える。シール部材１３は、カードトレイ１０の挿入方向に対して傾斜した領域１３ｄ、１３ｈを有する。【選択図】図２
2017224447.tif 000002
【特許請求の範囲】
【請求項１】
カードが載置されるカードトレイと、該カードトレイが挿入及び引き出されるハウジング及び該ハウジングに取り付けられたコンタクトを有するコネクタ本体とを備え、
前記カードトレイが、前記カードが載置されるカード載置部と、前記カードトレイのトレイ挿入方向の後方側端部に設けられた、電子機器の筐体に形成された開口を閉塞する蓋部と、前記カード載置部及び前記蓋部の間に位置するシール部材載置部とを備え、
該シール部材載置部の外周に環状のシール部材を備え、
前記シール部材が、前記カードトレイの挿入方向に対して傾斜した領域を有することを特徴とするカードコネクタ。
【請求項２】
前記シール部材の前記傾斜した領域は、前記カードトレイの挿入方向に対して凸の山形をなすことを特徴とする請求項１に記載のカードコネクタ。
【請求項３】
前記シール部材の前記傾斜した領域は、前記カードトレイの挿入方向に対して凹の逆山形をなすことを特徴とする請求項１に記載のカードコネクタ。
【請求項４】
前記シール部材の前記傾斜した領域は、前記シール部材載置部の上面及び下面において、傾斜の向きが互いに逆向きであることを特徴とする請求項１に記載のカードコネクタ。
【発明の詳細な説明】
【技術分野】
【０００１】
本発明は、カード載置部と、電子機器の筐体に形成された開口に嵌り込む蓋部と、カード載置部及び蓋部の間に位置するシール部材載置部とを備えたカードトレイのシール部材載置部の外周にシール部材を備えたカードコネクタに関する。
【背景技術】
【０００２】
一般に、ナノＳＩＭ（加入者識別モジュール）カードやマイクロＳＤカード等のカードを携帯電話機やスマートフォン等の電子機器に搭載された回路基板に電気的に接続するためにカードコネクタが電子機器に搭載される。
従来のこの種のカードコネクタとして、例えば、特許文献１に示すものが知られている。
【０００３】
特許文献１に示すカードコネクタは、カードが載置されるカードトレイと、カードトレイが挿入及び引き出されるハウジングを有するコネクタ本体とを備えている。コネクタ本体のハウジングには、カードトレイがハウジングに挿入された際に、カードトレイに載置されたカードに接触する複数のコンタクトが取り付けられている。ここで、カードトレイは、カードのハウジングへの挿入及びハウジングからの引き出しを容易にするために用いられる。
【０００４】
そして、カードトレイは、カードが載置されるトレイ本体と、トレイ本体のトレイ挿入方向の後方側端部に設けられた蓋部とを備えている。この蓋部は、電子機器の筐体に形成された開口に嵌り込み、当該開口を閉塞するようになっている。そして、この蓋部の外周には、環状の弾性材からなるシール部材が設けられている。このシール部材は、蓋部が電子機器の筐体に形成された開口に嵌り込む際に、当該開口の内周面と蓋部の外周面との隙間を封止し、外部から開口内に水等が浸入するのを阻止する機能を有する。
【先行技術文献】
【特許文献】
【０００５】
【特許文献１】特開２０１５−１０６５５４号公報
【発明の概要】
【発明が解決しようとする課題】
【０００６】
しかしながら、この従来の特許文献１に示すカードコネクタにあっては、以下の問題点があった。
即ち、特許文献１に示すカードコネクタにおいては、蓋部の外周に設けられるシール部材が、カードトレイの挿入方向に対して直交する方向に沿って直線状に延びている。このため、蓋部が電子機器の筐体に形成された開口に嵌り込む際に、シール部材の全体が同時に開口の内周面に接触するので、カードトレイの操作荷重が大きいという不都合がある。
【０００７】
また、カードトレイの操作荷重が大きいため、カードトレイを多数回挿抜した際に、シール部材を構成する弾性体の摩耗量が大きく、シール部材の封止機能を低下させるおそれがあった。
従って、本発明は、この従来の問題点を解決するためになされたものであり、その目的は、蓋部が電子機器の筐体に形成された開口に嵌り込む際のカードトレイの操作荷重を低減するとともにシール部材の封止機能の低下を防止することができる、カードトレイのシール部材載置部の外周にシール部材を備えたカードコネクタを提供することにある。
【課題を解決するための手段】
【０００８】
上記目的を達成するために、本発明の一態様に係るカードコネクタは、カードが載置されるカードトレイと、該カードトレイが挿入及び引き出されるハウジング及び該ハウジングに取り付けられたコンタクトを有するコネクタ本体とを備え、前記カードトレイが、前記カードが載置されるカード載置部と、前記カードトレイのトレイ挿入方向の後方側端部に設けられた、電子機器の筐体に形成された開口に嵌り込む蓋部と、前記カード載置部及び前記蓋部の間に位置するシール部材載置部とを備え、該シール部材載置部の外周に環状のシール部材を備え、該シール部材が、前記カードトレイの挿入方向に対して傾斜した領域を有することを要旨とする。
【発明の効果】
【０００９】
本発明に係るカードコネクタによれば、カード載置部と、電子機器の筐体に形成された開口に嵌り込む蓋部との間に位置するシール部材載置部の外周に備えられたシール部材が、カードトレイの挿入方向に対して傾斜した領域を有する。このため、蓋部が電子機器の筐体に形成された開口に嵌り込む際に、シール部材載置部の外周にあるシール部材の全体が同時に開口の内周面に接触するのではなく、最初にシール部材の一部分のみが開口の内周面に接触し、カードトレイの挿入量の増加に伴って徐々に接触面積が増えることになる。従って、蓋部が電子機器の筐体に形成された開口に嵌り込む際に、シール部材の全体が同時に開口の内周面に接触する場合よりもカードトレイの操作荷重を低減することができる。そして、カードトレイの操作荷重が低減することにより、カードトレイを多数回挿抜した際に、シール部材を構成する弾性体の摩耗量を低減することができ、シール部材の封止機能の低下を防止することができる。
【図面の簡単な説明】
【００１０】
【図１】本発明の一実施形態に係るカードコネクタをカードトレイとコネクタ本体を分離して、電子機器の筐体とともに示す斜視図である。但し、図１においては２枚のカードがカードトレイに載置された状態が示されている。
【図２】２枚のカードが載置されたカードトレイがコネクタ本体に挿入される前の状態を示す平面図である。
【図３】カードトレイが図２に示す状態から電子機器の筐体内に搭載されたコネクタ本体に挿入され、シール部材の傾斜した領域の前端が当該筐体に形成された開口に接触した状態を示す平面図である。
【図４】カードトレイが図３に示す状態から更に挿入が進行され、コネクタ本体内への挿入が完了した状態を示す平面図である。
【図５】カードトレイに備えられるシール部材の斜視図である。
【図６】カードトレイのコネクタ本体への挿入過程におけるカードトレイの操作荷重とトレイ挿入量との関係を示すグラフである。
【図７】シール部材の第１変形例を示す斜視図である。
【図８】図７に示すシール部材が備えらえたカードトレイのコネクタ本体内への挿入が完了した状態を示す部分平面図である。
【図９】シール部材の第２変形例を示す斜視図である。
【図１０】図９に示すシール部材が備えらえたカードトレイのコネクタ本体内への挿入が完了した状態を示す部分平面図である。
【図１１】参考例に係るカードコネクタをカードトレイとコネクタ本体を分離して、電子機器の筐体とともに示す斜視図である。但し、図１１においては２枚のカードがカードトレイに載置された状態が示されている。
【発明を実施するための形態】
【００１１】
以下、本発明の実施の形態を図面を参照して説明する。
図１及び図２に示すカードコネクタ１は、ナノＳＩＭ（加入者識別モジュール）カードやマイクロＳＤカード等のカードＣ１を携帯電話機やスマートフォン等の電子機器に搭載された回路基板ＰＣＢに電気的に接続するものである。
ここで、カードコネクタ１は、図１に示すように、カードトレイ１０と、カードトレイ１０が挿入及び引き出されるコネクタ本体２０とを備えている。
【００１２】
カードトレイ１０は、２枚のカードＣ１が載置可能なカード載置部１１と、蓋部１２ａと、シール部材載置部１２ｂとを備えている。カードトレイ１０は、金属製であるが、合成樹脂製であってもよい。
カード載置部１１は、カードトレイ１０の挿入方向を表す前方向、カードトレイ１０の引き出し方向を表す後方向、前方向及び後方向に直交する左方向及び右方向に延びる略矩形板状に形成されている。図１乃至図４、図８、図１０、及び図１１には、当該前方向が「前」、後方向が「後」、左方向が「左」、右方向が「右」、上方向が「上」、及び下方向が「下」として示されている。以下、左方向及び右方向を左右方向、前方向及び後方向を前後方向、上方向及び下方向を上下方向と総称して説明する。
【００１３】
蓋部１２ａは、カード載置部１１の後端部に設けられたシール部材載置部１２ｂの後面に設けられる。即ち、蓋部１２ａは、カードトレイ１０のトレイ挿入方向の後方側端部に設けられる。蓋部１２ａは、シール部材載置部１２ｂに対して上下方向及び左右方向に突出する略矩形板状に形成される。この蓋部１２ａは、カードトレイ１０がコネクタ本体２０に挿入される際に、後述するように電子機器の筐体１００に形成された開口１０１の第３開口部１０４に嵌り込み、開口１０１を閉塞する。
【００１４】
カード載置部１１と蓋部１２ａの間に位置するシール部材載置部１２ｂは、カード載置部１１に対して上下方向及び左右方向に突出し、直方体形状の左右両端が半円形に形成された略直方体形状を有する。
また、シール部材載置部１２ｂの外周には、環状のシール部材１３が備えられている。このシール部材１３は、ゴムなどの弾性体で構成され、蓋部１２が筐体１００の開口１０１の第３開口部１０４に嵌り込む際に、開口１０１の第２開口部１０３の内周面と蓋体基部１２ａの外周面との隙間を封止する。これにより、シール部材１３は、外部から開口１０１内に水等が浸入するのを阻止する機能を有する。なお、シール部材載置部１２ｂの外周には、シール部材１３の形状に対応した無端溝（図示せず）が形成されている。シール部材１３が無端溝に嵌まることにより、シール部材載置部１２ｂに対してシール部材１３が位置ずれしない。
【００１５】
シール部材１３は、図２及び図５に示すように、環状に形成され、カードトレイ１０の挿入方向である前方向及び引き出し方向である後方向に対し傾斜した第１傾斜領域１３ｄ及び第２傾斜領域１３ｈを有する。第１傾斜領域１３ｄは、シール部材載置部１２ｂの上面において、前方向に対して凸の山形をなし、右方から左方に向けて前方が突出するように前後方向に沿う線Ｌ（図２参照）とのなす角度がθａで傾斜する第１傾斜部１３ｂを有する。また、第１傾斜領域１３ｄは、シール部材載置部１２ｂの上面において、左方から右方に向けて前方が突出するように線Ｌとのなす角度がθｂで傾斜する第２傾斜部１３ｃを備えている。そして、第１傾斜領域１３ｄにおける第１傾斜部１３ｂの左端部と第２傾斜部１３ｃの右端部とが連結されて凸の山形の頂角をなしている。また、第２傾斜領域１３ｈは、シール部材載置部１２ｂの下面において、前方向に対して凸の山形をなし、右方から左方に向けて前方が突出するように線Ｌとのなす角度がθａ（図示せず）で傾斜する第１傾斜部１３ｆを備えている。また、第２傾斜領域１３ｈは、シール部材載置部１２ｂの下面において、左方から右方に向けて前方が突出するように線Ｌとのなす角度がθｂ（図示せず）で傾斜する第２傾斜部１３ｇを備えている。そして、第２傾斜領域１３ｈにおける第１傾斜部１３ｆの左端部と第２傾斜部１３ｇの右端部とが連結されて凸の山形の頂角をなしている。また、第１傾斜領域１３ｄにおける第１傾斜部１３ｂの右端部と第２傾斜領域１３ｈにおける第１傾斜部１３ｆの右端部とが、第１連結部１３ａを介して連結される。また、第１傾斜領域１３ｄにおける第２傾斜部１３ｃの左端部と第２傾斜領域１３ｈにおける第２傾斜部１３ｇの左端部とが、第２連結部１３ｅを介して連結される。
【００１６】
なお、第１傾斜領域１３ｄは、シール部材載置部１２ｂの上面において、前方向に対して凸の山形をなす。このため、第１傾斜部１３ｂの、線Ｌとのなす角度θａ及び第２傾斜部１３ｃの、線Ｌとのなす角度θｂは、鋭角となっている。また、第２傾斜領域１３ｈは、シール部材載置部１２ｂの下面において、前方向に対して凸の山形をなす。このため、第１傾斜部１３ｆの、線Ｌとのなす角度θａ及び第２傾斜部１３ｇの、線Ｌとのなす角度θｂも、鋭角となっている。
【００１７】
次に、コネクタ本体２０は、図２に示すように、ハウジング２１と、複数のコンタクト２２と、シェル２３と、イジェクト機構２４とを備えている。
ハウジング２１は、左右方向及び前後方向に延びる略矩形体であり、絶縁性の合成樹脂を成形することによって一体に形成される。ハウジング２１には、金属製のシェル２３がハウジング２１の上方を覆うように取り付けられ、ハウジング２１とシェル２３との間にトレイ挿入空間２６が形成される。このトレイ挿入空間２６は、図２に示すように、後側が開口している。カードトレイ１０のトレイ本体１１は、トレイ挿入空間２６の開口から挿入されるとともに、当該開口から引き出される。
【００１８】
また、複数のコンタクト２２は、図２に示すように、ハウジング２１の前方部及び後方部のそれぞれに、複数列状に取り付けられる。各コンタクト２２には、カード挿入空間１６にトレイ本体１１が挿入された際に、トレイ本体１１に載置されている各カードＣ１に形成された導電パッド（図示せず）が接触する。
また、イジェクト機構２４は、トレイ挿入空間２６に挿入されたカードトレイ１０を引き出す際にカードトレイ１０を排出するものである。イジェクト機構２４は、図示しないピン部材により前方に押圧されるプッシュバー２５と、プッシュバー２５の前端に押圧されて回転するイジェクトレバー（図示せず）とを備えている。このイジェクトレバーは、プッシュバー２５の前端に押圧されて回転し、トレイ挿入空間２６内に挿入されているトレイ本体１１を後方へ移動させる。
【００１９】
そして、このように構成されたコネクタ本体２０は、図１に示すように、電子機器の筐体１００の内部に搭載された回路基板ＰＣＢ上に実装される。
筐体１００には、図１乃至図４に示すように、カードトレイ１０をコネクタ本体２０に挿入するための開口１０１が形成されている。
この開口１０１は、筐体１００の内側（前側）から外側（後側）に向けて貫通するように形成され、最内側から第１開口部１０２、第２開口部１０３及び第３開口部１０４の順に形成される。
【００２０】
第１開口部１０２は、カードトレイ１０のシール部材載置部１２ｂの左右方向の幅よりも大きな左右方向の幅を有するともにシール部材載置部１２ｂの厚さよりもやや広い上下方向の高さを有する。これにより、トレイ本体１１及びシール部材載置部１２ｂが第１開口部１０２の外側から内側に向けて挿通可能となっている。
また、第２開口部１０３は、第１開口部１０２の左右方向の幅よりも大きな左右方向の幅を有するとともに第１開口部１０２の上下方向の高さよりも広い上下方向の高さを有する。これにより、シール部材１３が収容可能となっている。
【００２１】
さらに、第３開口部１０４は、第２開口部１０３の左右方向の幅よりも大きな左右方向の幅を有するとともに第２開口部１０３の上下方向の高さよりも広い上下方向の高さを有する。これにより、蓋部１２ａが収容可能となっている。
次に、カードトレイ１０を電子機器の筐体１００の内部に配置されたコネクタ本体２０に挿入する方法及びコネクタ本体２０から引き出す方法について、図１乃至図４及び図６を参照して説明する。
【００２２】
先ず、２枚のカードＣ１をカード載置部１１に載置したカードトレイ１０のカード載置部１１を、図２及び図３に示すように、筐体１００の外側から開口１０１を挿通してコネクタ本体２０のトレイ挿入空間２６内に挿入する。すると、カード載置部１１に載置されているカードＣ１が複数のコンタクト２２に接触し、図６に示すように、カードトレイ１０の操作荷重が図中のＡからＢに増加する。
【００２３】
そして、カード載置部１１の挿入を進行すると、シール部材載置部１２ｂの外周に備えられたシール部材１３の凸の山形の頂角の部分が、第３開口部１０４を通過して第２開口部１０３の内周面に接触する。このときのカードトレイ１０の操作荷重は、図６におけるＣであり、Ｂと変わらない。
そして、カード載置部１１の挿入が更に進行すると、シール部材１３は、凸の頂点を先頭に第１傾斜部１３ｂ、１３ｆ及び第２傾斜部１３ｃ、１３ｇが徐々に第２開口部１０３の内周面を摺動する。そして、シール部材１３の第１連結部１３ａ及び第２連結部１３ｅが第２開口部１０３に入り込む。このため、カード載置部１１（カードトレイ１０）の挿入量の増加に伴って徐々に接触面積が増えることになる。従って、このときのカードトレイ１０の操作荷重は、図６におけるＣからＤに増加する。
【００２４】
更に、カード載置部１１の挿入が進行すると、図４に示すように、カード載置部１１のトレイ挿入空間２６内への挿入が完了する。図４に示される状態に移行する直前において、シール部材１３は、第１傾斜部１３ｂ、１３ｆ、第２傾斜部１３ｃ、１３ｇ、第１連結部１３ａ及び第２連結部１３ｅの全体が第２開口部１０３の内周面を摺動する。そして、このときのカードトレイ１０の操作荷重は、図６におけるＤからＥとなるが、その大きさは変わらない。カード載置部１１のトレイ挿入空間２６への挿入が完了した状態では、シール部材１３は、第２開口部１０３の内周面とシール部材載置部１２ｂの外周面との隙間を封止し、外部から開口１０１内に水等が浸入するのを阻止する。
【００２５】
ここで、シール部材載置部１２ｂの外周に設けられるシール部材１３が、カードトレイ１０の挿入方向に対し傾斜した領域を有せず、カードトレイ１０の挿入方向に対して直交する方向に沿って直線状に延びている場合について考察する。
この場合、２枚のカードＣ１をカード載置部１１に載置したカードトレイ１０のカード載置部１１を、図２及び図３に示すように、筐体１００の外側から開口１０１を挿通してコネクタ本体２０のトレイ挿入空間２６内に挿入する。すると、カード載置部１１に載置されているカードＣ１が複数のコンタクト２２に接触し、図６に示すように、カードトレイ１０の操作荷重が図中のＡからＢに増加する。
【００２６】
そして、カード載置部１１の挿入が進行すると、シール部材載置部１２ｂの外周に備えられたシール部材１３の全体が、第３開口部１０４を通過して第２開口部１０３の内周面に接触する。このときのカードトレイ１０の挿入力は、図６におけるＣであり、Ｂと変わらない。
そして、カード載置部１１の挿入が更に進行すると、シール部材１３は、それら全体が同時に第２開口部１０３の内周面を摺動する。このときのカードトレイ１０の操作荷重は、図６におけるＣからＤに増加するが、図６中破線で示すように、その操作荷重の立ち上がりがきつく、一時的に操作荷重のピークが大きくなる。この理由は、シール部材１３の全体が同時に第２開口部１０３の内周面を摺動し、第２開口部１０３に接触直後の操作荷重が大きいためである。
【００２７】
これに対し、本実施形態においては、シール部材載置部１２ｂの外周に設けられるシール部材１３が、カードトレイ１０の挿入方向に対し傾斜した第１傾斜領域１３ｄ及び第２傾斜領域１３ｈを有する。これにより、蓋部１２ａが筐体１００に形成された開口１０１の第３開口部１０４に嵌り込む際に、最初にシール部材１３の一部分のみが第２開口部１０３の内周面に接触する。そして、カード載置部１１（カードトレイ１０）の挿入量の増加に伴って徐々に接触面積が増えることになる。従って、蓋部１２ａが開口１０１の第３開口部１０４に嵌り込む際に、シール部材１３の全体が同時に第２開口部１０３の内周面に接触する場合よりもカードトレイ１０の操作荷重を低減することができる。これにより、カードトレイ１０を多数回挿抜した際に、シール部材１３を構成する弾性体の摩耗量を低減することができ、シール部材１３の封止機能の低下を防止することができる。
【００２８】
なお、カードトレイ１０の挿入が完了した状態では、各カードＣ１の導電パッドはコンタクト２２に接触した状態を維持している。このため、各カードＣ１が回路基板ＰＣＢに電気的に接続された状態を維持する。
また、カードトレイ１０の挿入が完了した状態では、図４に示すように、シール部材載置部１２ｂが第１開口部１０２を挿通し、蓋部１２ａが第３開口部１０４内に収容される。これにより、筐体１００に形成された開口１０１が蓋部１２ａによって閉塞され、蓋部１２ａの外面が筐体１００の外面と面一になる。
【００２９】
一方、カードトレイ１０をコネクタ本体２０から引き出すときには、図示しないピン部材を、筐体１００の外側からプッシュバー２５の後端を前方に向けて押圧する。これにより、プッシュバー２５が前方に移動してイジェクトレバーが回転し、トレイ本体１１の前端を後方に向けて押圧する。これにより、カードトレイ１０が後方に移動し、蓋部１２ａが筐体１００から後方に突出する。そして、蓋部１２ａを摘まんでカードトレイ１０を引き出すことができる。
【００３０】
なお、カードトレイ１０をコネクタ本体２０から引き出すときのカードトレイ１０の操作荷重は、図６において、カードトレイ１０の挿入時の操作荷重の反対となり、Ｅ→Ｄ→Ｃ→Ｂ→Ａとなる。
次に、シール部材の第１変形例について、図７及び図８を参照して説明する。図７及び図８において、図１乃至図４に示す部材と同一の部材については同一の符号を付し、その説明を省略することがある。
【００３１】
図７及び図８に示すシール部材１３は、環状に形成され、カードトレイ１０の挿入方向である前方向及び引き出し方向である後方向に対し傾斜した第１傾斜領域１３ｌ及び第２傾斜領域１３ｐを有する。第１傾斜領域１３ｌは、シール部材載置部１２ｂの上面において、前方向に対して凹の逆山形をなし、右方から左方に向けて後方が突出するように前後方向に沿う線Ｌとのなす角度がθａで傾斜する第１傾斜部１３ｊを備えている。また、第１傾斜領域１３ｌは、シール部材載置部１２ｂの上面において、左方から右方に向けて後方が突出するように線Ｌとのなす角度がθｂで傾斜する第２傾斜部１３ｋを備えている。そして、第１傾斜領域１３ｌにおける第１傾斜部１３ｊの左端部と第２傾斜部１３ｋの右端部とが連結されて凹の逆山形の頂角をなしている。また、第２傾斜領域１３ｐは、シール部材載置部１２ｂの下面において、前方向に対して凹の逆山形をなし、右方から左方に向けて後方が突出するように線Ｌとのなす角度がθａ（図示せず）で傾斜する第１傾斜部１３ｎを備えている。また、第２傾斜領域１３ｐは、シール部材載置部１２ｂの下面において、左方から右方に向けて後方が突出するように線Ｌとのなす角度がθｂ（図示せず）で傾斜する第２傾斜部１３ｏを備えている。そして、第２傾斜領域１３ｐにおける第１傾斜部１３ｎの左端部と第２傾斜部１３ｏの右端部とが連結されて凹の逆山形の頂角をなしている。また、第１傾斜領域１３ｌにおける第１傾斜部１３ｊの右端部と第２傾斜領域１３ｐにおける第１傾斜部１３ｎの右端部とが、第１連結部１３ｉを介して連結される。また、第１傾斜領域１３ｌにおける第２傾斜部１３ｋの左端部と第２傾斜領域１３ｐにおける第２傾斜部１３ｏの左端部とが、第２連結部１３ｍを介して連結される。
【００３２】
なお、第１傾斜領域１３ｌは、シール部材載置部１２ｂの上面において、前方向に対して凹の逆山形をなす。このため、第１傾斜部１３ｊの、線Ｌとのなす角度θａ及び第２傾斜部１３ｋの、線Ｌとのなす角度θｂは、鈍角となっている。また、第２傾斜領域１３ｐは、シール部材載置部１２ｂの下面において、前方向に対して凹の逆山形をなす。このため、第１傾斜部１３ｎの、線Ｌとのなす角度θａ及び第２傾斜部１３ｏの、線Ｌとのなす角度θｂも、鈍角となっている。
【００３３】
このように、第１傾斜領域１３ｌ及び第２傾斜領域１３ｐを前方向に対して凹の逆山形とした場合であっても、シール部材１３の全体が同時に第２開口部１０３の内周面に接触する場合よりもカードトレイ１０の操作荷重を低減することができる。
つまり、この場合、カード載置部１１を、トレイ挿入空間２６内に挿入したとき、シール部材載置部１２ｂの外周に備えられたシール部材１３の第１連結部１３ｉ及び第２連結部１３ｍが、先ず、第２開口部１０３の内周面に接触する。
【００３４】
そして、カード載置部１１の挿入が更に進行すると、シール部材１３は、これら第１連結部１３ｉ及び第２連結部１３ｍを先頭に第１傾斜部１３ｊ、１３ｎ及び第２傾斜部１３ｋ、１３ｏが徐々に第２開口部１０３の内周面を摺動する。そして、シール部材１３の凹の逆山形の頂点が第２開口部１０３に入り込む。このため、カード載置部１１（カードトレイ１０）の挿入量の増加に伴って徐々に接触面積が増えることになる。
【００３５】
これにより、第１傾斜領域１３ｌ及び第２傾斜領域１３ｐを前方向に対して凹の逆山形とした場合であっても、シール部材１３の全体が同時に第２開口部１０３の内周面に接触する場合よりもカードトレイ１０の操作荷重を低減することができる。これにより、カードトレイ１０を多数回挿抜した際に、シール部材１３を構成する弾性体の摩耗量を低減することができ、シール部材１３の封止機能の低下を防止することができる。なお、シール部材載置部１２ｂの外周にも、第１実施形態と同様の無端溝（図示せず）が形成されている。
【００３６】
次に、シール部材の第２変形例について、図９及び図１０を参照して説明する。図９及び図１０において、図１乃至図４に示す部材と同一の部材については同一の符号を付し、その説明を省略することがある。
図９及び図１０に示すシール部材１３は、環状に形成され、カードトレイ１０の挿入方向である前方向及び引き出し方向である後方向に対し傾斜した傾斜領域１３ｕを有する。この傾斜領域１３ｕは、シール部材載置部１２ｂの上面及び下面において、傾斜の向きが互いに逆向きとなっている第１傾斜部１３ｒ及び第２傾斜部１３ｔを有する。第１傾斜部１３ｒは、シール部材載置部１２ｂの上面において、右方から左方に向けて前方が突出するように前後方向に沿う線Ｌとのなす角度がθｃで傾斜している。また、第２傾斜部１３ｔは、シール部材載置部１２ｂの下面において、左方から右方に向けて前方が突出するように線Ｌとのなす角度がθｄで傾斜している。そして、第１傾斜部１３ｒの右端部と第２傾斜部１３ｔの右端部とが、第１連結部１３ｑを介して連結されている。また、第１傾斜部１３ｒの左端部と第２傾斜部１３ｔの左端部とが、第２連結部１３ｓを介して連結されている。
【００３７】
なお、第１傾斜部１３ｒの、線Ｌとのなす角度θｃは、鋭角となっている。また、第２傾斜部１３ｔの、線Ｌとのなす角度θｄは、鋭角となっている。
このように、傾斜領域１３ｕが、シール部材載置部１２ｂの上面及び下面において、傾斜の向きが互いに逆向きとなっている第１傾斜部１３ｒ及び第２傾斜部１３ｔを有する場合であっても、シール部材１３の全体が同時に第２開口部１０３の内周面に接触する場合よりもカードトレイ１０の操作荷重を低減することができる。
【００３８】
つまり、この場合、カード載置部１１をトレイ挿入空間２６内に挿入したとき、シール部材１３の、前方にある第１傾斜部１３ｒの左端部側と第２傾斜部１３ｔの右端部側とが、先ず、第２開口部１０３の内周面に接触する。
そして、カード載置部１１の挿入が更に進行すると、シール部材１３は、これら前方にある第１傾斜部１３ｒの左端部側と第２傾斜部１３ｔの右端部側とを先頭に第１傾斜部１３ｒ及び第２傾斜部１３ｔが徐々に第２開口部１０３の内周面を摺動する。そして、第１傾斜部１３ｒの右端部側と第２傾斜部１３ｔの左端部側とが第２開口部１０３に入り込む。このため、カード載置部１１（カードトレイ１０）の挿入量の増加に伴って徐々に接触面積が増えることになる。
【００３９】
これにより、傾斜領域１３ｕが、シール部材載置部１２ｂの上面及び下面において、傾斜の向きが互いに逆向きとなっている第１傾斜部１３ｒ及び第２傾斜部１３ｔを有する場合であっても、シール部材１３の全体が同時に第２開口部１０３の内周面に接触する場合よりもカードトレイ１０の操作荷重を低減することができる。これにより、カードトレイ１０を多数回挿抜した際に、シール部材１３を構成する弾性体の摩耗量を低減することができ、シール部材１３の封止機能の低下を防止することができる。なお、シール部材載置部１２ｂの外周にも、第１実施形態と同様の無端溝（図示せず）が形成されている。
【００４０】
次に、図１１を参照して、参考例に係るカードコネクタ及び電子機器の筐体について説明する。図１１において、図１に示す部材と同一の部材については同一の符号を付し、その説明を省略することがある。
図１１に示すカードコネクタ１は、図１に示すカードコネクタ１と同様に、カードトレイ１０と、カードトレイ１０が挿入及び引き出されるコネクタ本体２０とを備えている。コネクタ本体２０の構成は、図１に示すコネクタ本体２０の構成と同様であるため、その説明は省略する。
【００４１】
カードトレイ１０は、２枚のカードＣ１が載置可能なカード載置部１１と、蓋部１２ａと、シール部材載置部１２ｂとを備えている。カード載置部１１、蓋部１２ａ及びシール部材載置部１２ｂの構成は、図１に示すカード載置部１１、蓋部１２ａ及びシール部材載置部１２ｂの構成と同様であるため、その説明は省略する。
シール部材載置部１２ｂの外周には、図１に示すカードコネクタ１と同様に、環状のシール部材１３が備えられている。このシール部材１３は、ゴムなどの弾性体で構成され、蓋部１２ａが筐体１００の開口１０１の第３開口部１０４に嵌り込む際に、第２開口部１０３の内周面とシール部材載置部１２ｂの外周面との隙間を封止する。
【００４２】
ここで、シール部材１３は、環状に形成されているが、図１に示すシール部材１３と異なり、カード挿入方向に対し傾斜した領域がなく、カードトレイ１０の挿入方向に対して直交する方向沿って直線状に延びている。
そして、電子機器の筐体１００には、カードトレイ１０をコネクタ本体２０に挿入するための開口１０１が形成されている。
【００４３】
この開口１０１は、基本構成は図１に示す開口１０１と同様であるが、第２開口部１０３の入口端面１０３ａに、シール部材１３の外周面に接触する複数の突起部１０５を設けている点で、図１に示す開口１０１と異なっている。
このように、第２開口部１０３の入口端面１０３ａに、シール部材１３の外周面に接触する複数の突起部１０５を設ける。これにより、蓋部１２が筐体１００に形成された開口１０１の第３開口部１０４に嵌り込む際に、シール部材１３の全体が同時に第２開口部１０３の内周面に接触する場合よりもカードトレイ１０の操作荷重を低減することができる。
【００４４】
蓋部１２ａが筐体１００に形成された開口１０１の第３開口部１０４に嵌り込む際に、最初にシール部材１３が複数の突起部１０５に接触し、その後、第２開口部１０３の内周面に接触する。このため、カード載置部１１の挿入量の増加に伴って徐々に接触面積が増えることになるからである。
なお、シール部材１３が最初に１個の突起部に接触するようにしてもよい。
【００４５】
以上、本発明の実施形態について説明してきたが、本発明はこれに限定されずに種々の変更、改良を行うことができる。
例えば、シール部材１３は、カードトレイ１０の挿入方向に対して傾斜した領域を有すればよく、その傾斜した領域は、カードトレイ１０の挿入方向に対して凸の山形をなす第１傾斜領域１３ｄ及び第２傾斜領域１３ｈである必要はない。また、当該傾斜した領域は、カードトレイ１０の挿入方向に対して凹の逆山形をなす第１傾斜領域１３ｌ及び第２傾斜領域１３ｐである必要はない。さらに、当該傾斜した領域は、シール部材載置部１２ｂの上面及び下面において、傾斜の向きが互いに逆向きとなっている傾斜領域１３ｕである必要はない。
【００４６】
また、シール部材載置部１２ｂの上面側における第１傾斜領域１３ｄは、カードトレイ１０の挿入方向に対して凸の山形をなし、シール部材載置部１２ｂの下面側における第２傾斜領域１３ｈもカードトレイ１０の挿入方向に対して凸の山形をなしている。しかし、いずれか一方の傾斜領域をカードトレイ１０の挿入方向に対して凸の山形をなすものとし、他方の傾斜領域をカードトレイ１０の挿入方向に対して凹の逆山形をなすものとしてもよい。
なお、カードトレイ１０は、１枚のカード、又は３枚以上のカードが載置するよう構成されてもよい。
【符号の説明】
【００４７】
１  カードコネクタ
１０  カードトレイ
１１  カード載置部
１２ａ  蓋部
１２ｂ  シール部材載置部
１３  シール部材
１３ｄ  第１傾斜領域
１３ｈ  第２傾斜領域
１３ｌ  第１傾斜領域
１３ｐ  第２傾斜領域
１３ｕ  傾斜領域
２０  コネクタ本体
２１  ハウジング
２２  コンタクト
１００  筐体
１０１  開口
Ｃ１  カード
【図１】
2017224447.tif 000003
【図２】
2017224447.tif 000004
【図３】
2017224447.tif 000005
【図４】
2017224447.tif 000006
【図５】
2017224447.tif 000007
【図６】
2017224447.tif 000008
【図７】
2017224447.tif 000009
【図８】
2017224447.tif 000010
【図９】
2017224447.tif 000011
【図１０】
2017224447.tif 000012
【図１１】
2017224447.tif 000013